(57)【要約】      （修正有）【課題】高圧洗浄機の先端に噴出口を備える棒状の噴射ノズルに取り付けて、高圧洗浄機によって洗浄対象物から洗い流された汚れ等を含む汚水の飛散を防止するための飛散防止カバーにおいて、軽量で、かつ、強度が高く、作業性が良好な飛散防止カバーの提供。【解決手段】基端部側３６から先端部３８に向かって拡径するように延在する直線状骨部材１２と、直線状骨部材を周方向に連結する環状骨部材１４とを含む枠体１０と、枠体の基端部側にあって、枠体を高圧洗浄機の噴射ノズルに着脱自在に固定するための固定部２０と、枠体に沿って噴射ノズルの周囲を覆うカバー部材と、を備えている。【選択図】図１
0003221815.tif 000002
【実用新案登録請求の範囲】
【請求項１】
高圧洗浄機の先端に噴出口を備える棒状の噴射ノズルに取り付けて、前記高圧洗浄機によって洗浄対象物から洗い流された汚れ等を含む汚水の飛散を防止するための飛散防止カバーにおいて、
基端部側から先端部に向かって拡径するように延在する直線状骨部材と、前記直線状骨部材を周方向に連結する環状骨部材とを含む枠体と、
前記枠体の前記基端部側にあって、前記枠体を前記高圧洗浄機の前記噴射ノズルに着脱自在に固定するための固定部と、
前記枠体に沿って前記噴射ノズルの周囲を覆うカバー部材と、を備えていることを特徴とする飛散防止カバー。
【請求項２】
前記枠体の前記先端部の周縁から前記洗浄対象物の方向に向かって伸びる可撓性または弾性素材よりなる裾部を備えていることを特徴とする請求項１に記載の飛散防止カバー。
【請求項３】
前記枠体の前記先端部の周縁から前記洗浄対象物の方向に向かって伸びるブラシ状の裾部を備えていることを特徴とする請求項１に記載の飛散防止カバー。
【請求項４】
前記固定部が、前記噴射ノズルを挟持することにより前記枠体を前記噴射ノズルに固定することを特徴とする請求項１〜３のいずれか一項に記載の飛散防止カバー。
【考案の詳細な説明】
【技術分野】
【０００１】
本考案は、高圧洗浄機の噴射ノズルに取り付けて、高圧洗浄機によって洗浄対象物から洗い流された汚れ等を含む汚水の飛散を防止するための飛散防止カバーに関する。
【背景技術】
【０００２】
従来より、建物の外壁面、屋根表面等の洗浄対象物を洗浄する場合、高圧洗浄機を用いて噴射ノズルから水等の洗浄液を噴射させて汚れ等を落としている。しかし、高圧洗浄機により洗浄対象物から洗い落とされた汚れ等を含む汚水が跳ね返り、周囲に飛散するといった問題がある。
【０００３】
このような問題を解決するために、特許文献１の水煙等飛散防止具は、高圧洗浄機のノズル部に着脱自在に取付可能な基端取付部と、同基端取付部より前方へ向けて漸次拡径させて筒状に形成した飛散防止具本体と、同飛散防止具本体の先端周縁部に着脱自在に取付けた汚れ落し用の清掃具とから構成したことを特徴としている。
【先行技術文献】
【特許文献】
【０００４】
【特許文献１】特開平５−２２８０９１号公報
【考案の概要】
【考案が解決しようとする課題】
【０００５】
しかしながら、従来の水煙等飛散防止具では、基端取付部と飛散防止具本体が、アルミニウム等により一体成形されているため、アルミニウムは金属の中では軽量とはいえ長時間の作業においては負担となる。
【０００６】
本考案は、このような事情に鑑みてなされたもので、軽量で、かつ、強度が高く、作業性が良好な飛散防止カバーを提供することを目的とする。
【課題を解決するための手段】
【０００７】
請求項１記載の飛散防止カバーは、基端部側から先端部に向かって拡径するように延在する直線状骨部材と、直線状骨部材を周方向に連結する環状骨部材とを含む枠体と、枠体の基端部側にあって、枠体を高圧洗浄機の噴射ノズルに着脱自在に固定するための固定部と、枠体に沿って前記噴射ノズルの周囲を覆うカバー部材と、を備えていることを特徴とする。
【０００８】
請求項２記載の飛散防止カバーは、枠体の先端部の周縁から洗浄対象物の方向に向かって伸びる可撓性または弾性素材よりなる裾部を備えていることを特徴とする。
【０００９】
請求項３記載の飛散防止カバーは、枠体の先端部の周縁から洗浄対象物の方向に向かって伸びるブラシ状の裾部を備えていることを特徴とする。
【００１０】
請求項４記載の飛散防止カバーは、固定部が、噴射ノズルを挟持することにより枠体を噴射ノズルに固定することを特徴とする。
【考案の効果】
【００１１】
本願考案の飛散防止カバーによれば、軽量で、かつ、強度が高く、作業性が良好な飛散防止カバーを提供することができる。
【図面の簡単な説明】
【００１２】
【図１】本考案に係る飛散防止カバーの構成の第１の実施例を示す説明図である。
【図２】同実施例を説明する説明図である。
【図３】同実施例を説明する説明図である。
【図４】本考案に係る飛散防止カバーの構成の第２の実施例を示す説明図である。
【考案を実施するための形態】
【００１３】
以下、本考案の形態について図面を参照しながら具体的に説明する。図１は、本考案に係る飛散防止カバーの構成の第１の実施例を示す説明図である。図２、３は、同実施例を説明する説明図である。図４は、本考案に係る飛散防止カバーの構成の第２の実施例を示す説明図である。
【００１４】
図１における飛散防止カバー１は、図２、３に示すように高圧洗浄機５０の噴射ノズル５２の棒状の部分に取り付けて用いられるものである。建物の外壁面、屋根表面等の洗浄対象物を洗浄する場合、噴射ノズル５２の噴出口５４から水等の洗浄液を噴射させ、洗浄対象物から洗い流された汚れ等を含む汚水が周囲に飛び散ることを防止するためのものである。飛散防止カバー１は、枠体１０と、固定部２０と、カバー部材３０を備えている。
【００１５】
枠体１０は、基端部１６側から先端部１８に向かって放射状に拡径するように延在する直線状骨部材１２と、直線状骨部材１２を周方向に連結する環状骨部材１４とを含むものである。枠体１０は、全体として略円錐状である。尚、直線状骨部材１２および環状骨部材１４の数、長さは噴射ノズル５２に合わせて決めるのが好ましい。また、枠体１０の素材は、軽量で強度を有するものであれば限定されるものではないが、アルミニウム等の金属や樹脂材等であってもよい。
【００１６】
固定部２０は、枠体１０の基端部１６側にあって、枠体１０を高圧洗浄機５０の噴射ノズル５２に着脱自在に固定するためのものである。噴射ノズル５２への固定の仕方は特に限定されるものではないが、固定部２０が、噴射ノズル５２を挟持することにより枠体１０を噴射ノズル５２に固定してもよい。例えば、図２に示すように、固定部２０を長手方向に第１部分２２と第２部分２４に分割し、長手方向縁部に沿ってヒンジ２６等により回動可能に連結して、噴射ノズル５２の棒状の部分を第１部分２２と第２部分２４で両側から挟み込んでネジ２８等で留めることにより、枠体１０を噴射ノズル５２に確実に固定することができる。
【００１７】
カバー部材３０は、枠体１０に沿って噴射ノズル５２の周囲を覆うものである。枠体１０の外側または内側にあって、枠体１０の基端部１６から先端部１８までの周縁を、カバー部材３０の基端部３６から先端部３８まででほぼ覆っている。カバー部材３０を構成する材料としては、耐水性を有している限り、特に限定されるものではないが、例えば、ポリエステル、ポリエチレン、ポリプロピレン、ポリスチレン、ポリカーボネート、ポリ塩化ビニル等の樹脂材からなるシートを使用することができる。カバー部材３０が透明である場合、洗浄対象物を視認することができるため好ましい。
【００１８】
このような構成の飛散防止カバー１によれば、軽量で、かつ、強度が高く、作業性が良好となる。
【００１９】
また、図１に示すように、飛散防止カバー１は、枠体１０の先端部１８の周縁から洗浄対象物の方向に向かって伸びる可撓性または弾性素材よりなる裾部４０を備えていてもよい。つまり、洗浄する際に枠体１０の先端部１８と洗浄対象物との間の隙間を塞ぐことができるように、枠体１０の先端部１８の周縁から外部空間である洗浄の際に対向する洗浄対象物の方向に向かって裾部４０が伸びていてもよい。裾部４０は、樹脂またはゴム等の柔軟性のある可撓性または弾性材料により形成され、例えば、帯状素材に一定間隔でスリットを形成してのれん状にしたものを使用してもよい。
または、図４の飛散防止カバー２に示すように、ブラシ状の裾部１４０を備えていてもよい。ブラシ状の裾部１４０は、樹脂材、例えば、ポリアミド、ポリプロピレン、ポリエステル、ポリ塩化ビニル等の合成繊維や、植物、動物の繊維等からなるものでもよい。
【００２０】
裾部４０、１４０により、屋根等の段差のある洗浄対象物を洗浄する場合であっても、洗浄対象物に裾部４０、１４０を接触させた状態で洗浄を行いながらスムーズに移動できるため、洗浄対象物を傷つけることなく、より確実に汚水の飛散を防止しながら作業性を向上させることができる。
【００２１】
次に、図１〜３を参照して本実施の形態における飛散防止カバー１の使用方法の一例を説明する。
【００２２】
まず、図１の飛散防止カバー１について、図２に示すように、固定部２０を分割した第１部分２２と第２部分２４を開状態とする。そこに、高圧洗浄機５０の噴射ノズル５２の棒状の部分を差し込み、第１部分２２と第２部分２４を閉状態として固定部２０が噴射ノズル５２を挟持することにより枠体１０を噴射ノズル５２に着脱自在に固定する。噴射ノズル５２に対して固定部２０を固定する位置は任意であるが、洗浄対象物の種類や高圧洗浄機５０から噴出される水圧等により決められる。
【００２３】
作業者は、高圧洗浄機５０の噴射ノズル５２に飛散防止カバー１を固定したものを持って、建物の屋根に上がり、枠体１０の先端部１８および／またはカバー部材３０の先端部３８を洗浄対象物である屋根表面Ｒに接近させる。そして、屋根表面Ｒに向かって噴射ノズル５２の噴出口５４から水等の洗浄水を噴射させ、先端部１８、３８を屋根表面Ｒに接近させた状態のまま高圧洗浄機５０を移動させる。図３に示すように、枠体１０の先端部１８の周縁に可撓性または弾性素材よりなる裾部４０を備えている場合には、高圧洗浄機５０により屋根表面Ｒから洗い流された汚れ等を含む汚水の飛散をより確実に防止するために、裾部４０を屋根表面Ｒに接触させながら移動することができる。
【００２４】
また、図４の第２の実施例である飛散防止カバー２に示すように、枠体１１０の先端部１１８の周縁から洗浄対象物の方向に向かって伸びるポリアミド合成繊維からなるブラシ状の裾部１４０を備えている場合にも、裾部１４０を屋根表面Ｒに接触させながら移動することができる。
【００２５】
以上のような構造の本実施の形態に係る飛散防止カバーによれば、枠体で骨格を形成し、枠体の外周縁全体をカバー部材で覆っているため、軽量で、かつ、強度が高く、作業性が良好であり、繰り返し使用することができる。
【産業上の利用可能性】
【００２６】
本考案により、軽量で、かつ、強度が高く、作業性が良好な飛散防止カバーを提供することができる。
【符号の説明】
【００２７】
１、２・・・・・飛散防止カバー
１０、１１０・・・・枠体
１２・・・・直線状骨部材
１４・・・・環状骨部材
１６・・・・基端部
１８、１１８・・・・先端部
２０、１２０・・・・固定部
２２・・・・第１部分
２４・・・・第２部分
２６・・・・ヒンジ
２８・・・・ネジ
３０、１３０・・・・カバー部材
３６・・・・基端部
３８・・・・先端部
４０、１４０・・・・裾部
５０・・・・高圧洗浄機
５２・・・・噴射ノズル
５４・・・・噴出口
【図１】
0003221815.tif 000003
【図２】
0003221815.tif 000004
【図３】
0003221815.tif 000005
【図４】
0003221815.tif 000006